(57)【特許請求の範囲】
【請求項１】
レンズの位置を調節して焦点を合わせる機能を有し、被写体像を結像して画像信号を生成し、メモリに記録する撮像装置であって、
前記レンズを駆動するレンズ駆動手段と、
被写体との焦点距離に相関する評価値を、前記画像信号を用いて算出する評価値算出手段と、
前記レンズ駆動手段に対して、前記評価値が最大になるまで前記レンズを動かし、一度焦点が合うとその位置で前記レンズを固定する、第１制御を行う第１制御手段と、
前記レンズ駆動手段に対して、前記評価値が最大になるまで前記レンズを動かし、一度焦点が合った後も被写体の移動に伴って前記レンズを動かして焦点を合わせ続ける、第２制御を行う第２制御手段と、を具備し、
動画モードが選択されてから動画記録開始が指示されるまでの間、前記焦点を固定焦点とし、
動画記録開始の指示に基づいて、粗調から微調の順で前記レンズを動かす前記第１制御を行い、前記第１制御が完了した後に動画記録を開始するとともに、微調で連続的に前記レンズを動かす前記第２制御を行う、撮像装置。
【請求項２】
フレームレートを上昇させてから前記第１制御を実行する、請求項１記載の撮像装置。
【請求項３】
前記レンズの動作を粗くして前記第１制御を実行する、請求項１記載の撮像装置。
【請求項４】
ズーム倍率が第１閾値以下の場合、前記第２制御を所定時間経過後に停止し、前記ズーム倍率が前記第１閾値より大きい場合、前記第２制御を開始または継続する、請求項１記載の撮像装置。
【請求項５】
静止画又は動画を撮影する撮影手段と、
前記撮影部により撮影した情報を記録する記録手段と、
前記撮影した情報を前記記録手段へ記録させる撮影キーと、
被写体との焦点を合わせるためにレンズの位置を調整するレンズ駆動手段と、
前記レンズ駆動手段に対して、一度焦点が合うとその位置で前記レンズを固定する、第１制御を行う第１制御手段と、
前記レンズ駆動手段に対して、一度焦点が合った後も被写体の移動に伴って前記レンズを動かして焦点を合わせ続ける、第２制御を行う第２制御手段と、を備え、
前記動画の撮影が選択されてから前記撮影キーの押下による動画記録開始が指示されるまでの間、前記焦点を固定焦点とし、
前記撮影キーの押下による前記動画記録開始の指示に基づいて、粗調から微調の順で前記レンズを動かす前記第１制御を行い、前記第１制御が完了した後に動画記録を開始するとともに、微調で連続的に前記レンズを動かす前記第２制御を行う、撮像装置。
【請求項６】
請求項１から請求項５のいずれか１項に記載の撮像装置を備える携帯電話機。
【発明の詳細な説明】
【技術分野】
【０００１】
本発明は、携帯電話機等の携帯端末に搭載される撮像装置に関する。
【背景技術】
【０００２】
現在、ほとんどの携帯電話機等の携帯無線端末には撮像装置が搭載され、この撮像装置には、自動的に被写体との距離を測りレンズの位置を調節して焦点を合わせるオートフォーカス機能が搭載されている（例えば、特許文献１参照）。
【０００３】
一般的に、オートフォーカス（以下、「ＡＦ」と省略する）の方式は、アクティブ方式とパッシブ方式の２つに区分される。アクティブ方式は、被写体に赤外線や超音波等を照射し、その反射波が戻るまでの時間や、照射角度により距離を検出する方式である。パッシブ方式は、画像からフォーカスの状態を評価してレンズを移動させる方式であり、コントラスト等を用いたＡＦ評価値が最大になるようにレンズを動かす。
【０００４】
静止画撮影用の撮像装置では、両方の方式が併用される場合もあるが、動画撮影用の撮像装置では、パッシブ方式が用いられるのが一般的である。特に、携帯電話機に搭載される撮像装置の場合、アクティブ方式ではサイズやコストの制約が大きいことから、パッシブ方式が用いられるのがほとんどである。
【０００５】
また、ＡＦには、シングルＡＦ（以下、「ＳＡＦ」と省略する）モードとコンティニュアスＡＦ（以下、「ＣＡＦ」と省略する）モードの２つのモードがある。ＳＡＦモードとは、被写体との焦点距離に相関するＡＦ評価値が最大になるまで粗調から微調の順でレンズを動かし、一度フォーカスが合うとその位置でレンズをロックするモードであり、主に静止画撮影に用いられる。ＣＡＦモードとは、ＡＦ評価値が最大になるまで微調で連続的にレンズを動かし、フォーカスが合った後もフォーカスが合うレンズの方向を逐次検出してレンズを微調で動かし、フォーカスを合わせ続けるモードであり、主に動画撮影に用いられる。
【０００６】
ＳＡＦモードは、被写体が移動したり被写体の対象が変化したりした場合、移動や変化した被写体に合っていないので再度ＳＡＦを行ってフォーカスを合わせる必要があるため、従来は、動画記録の際、ＣＡＦモードが使われてきた。
【特許文献１】特開２００６−２７６６９９号公報
【発明の開示】
【発明が解決しようとする課題】
【０００７】
しかしながら、従来のＣＡＦモードを使った動画記録方法では、動画記録を開始する際に急に被写体の条件が変化した場合（例えば図１２においてフォーカス判定エリア１１にある被写体がＡからＢに代わった場合）に、動画記録を開始してから被写体にフォーカスが合うまでに時間がかかり、焦点がぼけた画像が記録されてしまうという問題がある。また、動画記録を行う際、従来は、動画記録を開始する前のプレビュー中でもＣＡＦモードを使ってフォーカスを合わせているので、ＣＡＦモードがレンズを常に微動させることから、消費電力が多くなってしまうという問題がある。
【０００８】
本発明はかかる点に鑑みてなされたものであり、ユーザが動画記録開始を指示してから焦点が合うまでの時間を短縮することができ、焦点がぼけた画像を記録することがなく、さらにＡＦ機能による電力消費を抑えることができる撮像装置を提供することを目的とする。
【課題を解決するための手段】
【０００９】
本発明の撮像装置は、レンズの位置を調節して焦点を合わせる機能を有し、被写体像を結像して画像信号を生成し、メモリに記録する撮像装置であって、前記レンズを駆動するレンズ駆動手段と、被写体との焦点距離に相関する評価値を、前記画像信号を用いて算出する評価値算出手段と、前記レンズ駆動手段に対して、前記評価値が最大になるまで前記レンズを動かし、一度焦点が合うとその位置で前記レンズを固定する、第１制御を行う第１制御手段と、前記レンズ駆動手段に対して、前記評価値が最大になるまで前記レンズを動かし、一度焦点が合った後も被写体の移動に伴って前記レンズを動かして焦点を合わせ続ける、第２制御を行う第２制御手段と、を具備し、動画モードが選択されてから動画記録開始が指示されるまでの間、前記焦点を固定焦点とし、動画記録開始の指示に基づいて、粗調から微調の順で前記レンズを動かす前記第１制御を行い、前記第１制御が完了した後に動画記録を開始するとともに、微調で連続的に前記レンズを動かす前記第２制御を行う構成を採る。
また、本発明の撮像装置は、静止画又は動画を撮影する撮影手段と、前記撮影部により撮影した情報を記録する記録手段と、前記撮影した情報を前記記録手段へ記録させる撮影キーと、被写体との焦点を合わせるためにレンズの位置を調整するレンズ駆動手段と、前記レンズ駆動手段に対して、一度焦点が合うとその位置で前記レンズを固定する、第１制御を行う第１制御手段と、前記レンズ駆動手段に対して、一度焦点が合った後も被写体の移動に伴って前記レンズを動かして焦点を合わせ続ける、第２制御を行う第２制御手段と、を備え、前記動画の撮影が選択されてから前記撮影キーの押下による動画記録開始が指示されるまでの間、前記焦点を固定焦点とし、前記撮影キーの押下による前記動画記録開始の指示に基づいて、粗調から微調の順で前記レンズを動かす前記第１制御を行い、前記第１制御が完了した後に動画記録を開始するとともに、微調で連続的に前記レンズを動かす前記第２制御を行う構成を採る。
【発明の効果】
【００１０】
本発明によれば、ユーザが動画記録開始を指示してから焦点が合うまでの時間を短縮することができ、焦点がぼけた画像を記録することがなく、さらにＡＦ機能による電力消費を抑えることができる。
【発明を実施するための最良の形態】
【００１１】
以下、本発明の実施の形態について、図面を参照して詳細に説明する。なお、以下の説明では、携帯電話機に撮像装置を搭載する場合について説明する。
【００１２】
（実施の形態１）
図１は、本発明の実施の形態１に係る撮像装置を搭載した携帯電話機のハードウェア構成の概略を示すブロック図である。図１に示すように、携帯電話機１００は、携帯電話機特有の通話用の構成要素として、アンテナ１０１と、送受信処理部１０２と、変復調処理部１０３と、データ処理部１０４と、Ｄ／Ａ変換器１０５と、スピーカ１０６と、Ａ／Ｄ変換器１０７と、マイク１０８と、を備える。なお、これらの構成要素は、従来周知の技術で実現するものであるから、詳しい説明は省略する。
【００１３】
さらに、携帯電話機１００は、表示部１０９と、操作部１１０と、ＣＰＵ（Central Processing Unit）１１１と、メモリ１１２と、を備える。表示部１０９は、撮像された画像等のデータを画面に表示する。操作部１１０は、操作釦を有し、ユーザの釦操作に基づく指示を各構成要素に伝える。特に、本実施の形態では、操作釦の中に、動作モードに移行するための動作モードキーや動画記録を開始するための撮影キーが存在する。ＣＰＵ１１１は、各構成要素を制御する。メモリ１１２は、データの一時記憶領域として利用される。
【００１４】
さらに、携帯電話機１００は、静止画及び動画を撮像する撮像装置１１３を備える。撮像装置１１３は、光学ユニット１３１と、画像処理部１３２と、ＡＦ評価部１３３と、ＳＡＦ制御部１３４と、ＣＡＦ制御部１３５と、レンズ駆動部１３６と、を有する。光学ユニット１３１は、レンズ部１５１と、撮像素子１５２と、を有する。なお、一般的に、光学ユニット１３１は、絞り、メカシャッタ等も有し、撮像装置１１３は、図１に図示した以外にも、絞りを駆動する絞り駆動部やメカシャッタを駆動するシャッタ駆動部等も具備するが、本実施の形態ではそれらの説明を省略する。
【００１５】
光学ユニット１３１は、レンズ部１５１により被写体像を撮像素子１５２の受光面に結像させ、撮像素子１５２により被写体像を画像信号に変換する。なお、撮像素子は、例えば、ＣＣＤ（charge-coupled device）である。
【００１６】
画像処理部１３２は、光学ユニット１３１より出力された被写体像の画像信号に対して、ディジタル変換等の信号処理を施す。画像処理部１３２において処理された画像信号は、ＣＰＵ１１１の制御に基づいて表示部１０９あるいはメモリ１１２に出力され、所定の間隔で間引かれてＡＦ評価部１３３に出力される。
【００１７】
ＡＦ評価部１３３は、画像処理部１３２から出力された画像信号を用いてＡＦ評価値を算出し、ＡＦ評価値をＳＡＦ制御部１３４あるいはＣＡＦ制御部１３５に出力する。ＡＦ評価値として、例えば、レンズ部１５１を駆動させながら所定の間隔（例えば３０ｆｐｓ）毎に、撮像素子に結像された被写体像のコントラスト値等が用いられる。
【００１８】
ＳＡＦ制御部１３４は、ＳＡＦモードにより、ＡＦ評価値の極大値を検出するようにレンズ駆動部１３６を制御する。また、ＳＡＦ制御部１３４は、極大値を検出すると、その位置でフォーカスが合っているとみなしてレンズ部１５１をロックするようにレンズ駆動部１３６を制御する。そして、ＳＡＦ制御部１３４は、極大値を検出すると、この旨を示す信号をＣＡＦ制御部１３５に出力する。
【００１９】
ＣＡＦ制御部１３５は、ＣＡＦモードにより、ＡＦ評価値の極大値を検出するようにレンズ駆動部１３６を制御する。また、ＣＡＦ制御部１３５は、極大値を検出した後も、レンズ部１５１を微調で動かすようにレンズ駆動部１３６を制御し、フォーカスを合わせ続けるようにする。
【００２０】
レンズ駆動部１３６は、ＳＡＦ制御部１３４あるいはＣＡＦ制御部１３５の指示に基づいて光学ユニット１３１内のレンズ部１５１を駆動する。
【００２１】
次に、本実施の形態に係る撮像装置１１３の動作について、図２のフロー図を用いて説明する。
【００２２】
まず、ユーザが操作部１１０の動作モードキーを押し下げることにより動画モードとなった場合（ＳＴ２０１；ＹＥＳ）、携帯電話機１００はプレビュー状態に入る（ＳＴ２０２）。具体的には、ＣＰＵ１１１が、ＳＡＦ制御部１３４並びにＣＡＦ制御部１３５の制御及びレンズ駆動部１３６の駆動を停止させ、光学ユニット１３１が固定焦点のまま被写体像を取り込み、画像処理部１３２が光学ユニット１３１に取り込まれた被写体像の画像信号を処理し、表示部１０９が画像処理部１３２で処理された画像信号を表示する。このとき、メモリ１１２には画像信号が記録されない。
【００２３】
プレビュー中に、ユーザが、操作部１１０の撮影キーを押し下げることにより動画記録開始を指示すると（ＳＴ２０３；ＹＥＳ）、撮像装置１１３は焦点が合うまでＳＡＦ動作を実行する（ＳＴ２０４）。具体的には、レンズ駆動部１３６が光学ユニット１３１のレンズ部１５１を駆動し、光学ユニット１３１及び画像処理部１３２が被写体像の画像信号を生成し、ＡＦ評価部１３３が画像信号を用いてフォーカス状態を評価し、ＳＡＦ制御部１３４がＡＦ評価値に基づいてレンズ駆動部１３６を制御する、という一連の動作を、ＡＦ評価値の極大値が検出されるまで繰り返す。なお、ＳＡＦ動作中に焦点が合っているか否かを示す合焦判定通知が表示部１０９に表示される。
【００２４】
そして、ＳＡＦ制御部１３４が、ＡＦ評価値の極大値を検出すると、ＳＡＦ動作が終了した旨を示す信号をＣＡＦ制御部１３５に通知し（ＳＴ２０５；ＹＥＳ）、撮像装置１１３は動画記録及びＣＡＦ動作を実行する（ＳＴ２０６）。具体的には、レンズ駆動部１３６が光学ユニット１３１のレンズ部１５１を駆動し、光学ユニット１３１及び画像処理部１３２が被写体像の画像信号を生成してメモリ１１２に記録し、ＡＦ評価部１３３が画像信号を用いてフォーカス状態を評価し、ＣＡＦ制御部１３５がＡＦ評価値に基づいてレンズ駆動部１３６を制御する、という一連の動作を繰り返す。なお、ＳＡＦにおいて焦点が合わない状態でＣＡＦの動作を実行しても良い。
【００２５】
なお、ＣＡＦ動作及び動画記録は、ユーザが撮影終了を指示するまで続けられる（ＳＴ２０７）。
【００２６】
このように、従来では、プレビュー中からＣＡＦモードでオートフォーカスを行っているのに対し（図３（Ａ））、本実施の形態では、プレビュー中には固定焦点とし、動画記録開始指示時に、まずＳＡＦモードで焦点を合わせてからＣＡＦモードに移行して動画記録を開始する（図３（Ｂ））。
【００２７】
この結果、本実施の形態によれば、動画記録開始指示時にＳＡＦモードで焦点を合わせるので、ユーザが動画記録開始を指示してから焦点が合うまでの時間を短縮することができる。また、本実施の形態によれば、焦点を合わせてから動画記録を開始するので、焦点がぼけた画像を記録することがない。また、本実施の形態によれば、プレビュー中にはＣＡＦモードを使わないので、ＡＦ機能による電力消費を抑えることができる。
【００２８】
（実施の形態２）
実施の形態２では、動画記録前のプレビュー中に、ユーザがＡＦモードを選択可能な場合について説明する。なお、本実施の形態の撮像装置を搭載した携帯電話機のハードウェア構成は、図１と同一である。
【００２９】
図４は、本実施の形態に係る撮像装置１１３の動作を示すフロー図である。なお、図４において、図２と共通するステップには、同一の符号を付して説明を省略する。
【００３０】
本実施の形態では、図４に示すように、プレビュー状態（ＳＴ２０２）において、ユーザが、ＳＡＦモードと固定焦点モードのいずれかを選択し、ＣＰＵ１１１に指示することができる（ＳＴ４０１）。固定焦点モードには、レンズ部１５１を無限側に固定するパン側モードと、レンズ部１５１をマクロ側に固定するマクロ側モードの２つがあり、ユーザはこのどちらかを選択する。なお、ＡＦモードのデフォルト値としてＳＡＦモードあるいは固定焦点モード（パン側、マクロ側のいずれか）を設定しておき、ユーザが、プレビュー中にＡＦモード選択を行わずに撮影キーを押し下げした場合には（ＳＴ２０３；ＹＥＳ）、デフォルト値に設定されたＡＦモードで以下の動作を実行する。
【００３１】
次に、ユーザが、プレビュー状態において、操作部１１０の撮影キーを押し下げることにより動画記録開始を指示すると（ＳＴ２０３；ＹＥＳ）、ＡＦモードがＳＡＦモードである場合には（ＳＴ４０２；ＮＯ）、ＣＰＵ１１１がＳＡＦモードの実行を撮像装置１１３に指示し、撮像装置１１３は焦点が合うまでＳＡＦ動作を実行し（ＳＴ２０４）、ＳＡＦ動作が終了すると（ＳＴ２０５；ＹＥＳ）、撮像装置１１３は動画記録及びＣＡＦ動作を実行する（ＳＴ２０６、ＳＴ２０７）。
【００３２】
一方、ＡＦモードが固定焦点モードである場合には（ＳＴ４０２；ＹＥＳ）、ＣＰＵ１１１が固定焦点モードの実行を撮像装置１１３に指示し、撮像装置１１３は、ＳＡＦ動作を行わずに、動画記録及びＣＡＦ動作を実行する（ＳＴ２０６、ＳＴ２０７）。
【００３３】
このように、本実施の形態では、プレビュー中に、ユーザが、ＳＡＦモード（図５（Ａ））あるいは固定焦点モード（パン側（図５（Ｂ）、マクロ側（図５（Ｃ）））を選択することができる。固定焦点モードを選択した場合、撮影キー押し下げ時点から動画記録を開始することができる。
【００３４】
（実施の形態３）
実施の形態３では、動画記録前のプレビュー中に、ユーザがＡＦキーを押し下げすることにより、事前にフォーカスを合わせておき、動画記録を開始する場合について説明する。なお、本実施の形態の撮像装置を搭載した携帯電話機のハードウェア構成は、図１と同一である。
【００３５】
図６は、本実施の形態に係る撮像装置１１３の動作を示すフロー図である。なお、図６において、図２と共通するステップには、同一の符号を付して説明を省略する。
【００３６】
本実施の形態では、図６に示すように、プレビュー状態（ＳＴ２０２）において、ユーザがＡＦキーを押し下げた場合（ＳＴ６０１）、撮像装置１１３は焦点が合うまでＳＡＦ動作を実行する（ＳＴ２０４）。
【００３７】
そして、撮影キーが押し下げられない場合には（ＳＴ６０２；ＮＯ）、再び撮像装置１１３はＳＴ２０２からの工程を繰り返す。
【００３８】
一方、撮影キーが押し下げられた場合には（ＳＴ６０２；ＹＥＳ）、撮像装置１１３は動画記録及びＣＡＦ動作を実行する（ＳＴ２０６、ＳＴ２０７）。
【００３９】
このように、本実施の形態では、プレビュー中に、ユーザが、ＡＦキーを押し下げることで任意のタイミングでフォーカスを合わせることができるので（図７）、撮影キーの押し下げ時に、ほぼフォーカスが合っている状態にすることができ、撮影キーを押し下げた時点からタイムラグ無く動画記録を開始しても、焦点がぼけた画像を記録することがなくなる。
【００４０】
（実施の形態４）
実施の形態４では、動画記録前のプレビュー中に、ユーザが撮影キーを押し下げた時点で電池残量及びＡＦ評価値に基づいてＳＡＦ動作を実行するか否かを判断する場合について説明する。なお、本実施の形態の撮像装置を搭載した携帯電話機のハードウェア構成は、図１と同一である。
【００４１】
図８は、本実施の形態に係る撮像装置１１３の動作を示すフロー図である。なお、図８において、図２と共通するステップには、同一の符号を付して説明を省略する。
【００４２】
本実施の形態では、図８に示すように、プレビュー状態（ＳＴ２０２）において、ユーザが、操作部１１０の撮影キーを押し下げることにより動画記録開始を指示すると（ＳＴ２０３；ＹＥＳ）、ＣＰＵ１１１が、電池残量及びＡＦ評価値と予め設定された閾値とを比較し、電池残量が第１閾値以上であるか、あるいは、ＡＦ評価値が第２閾値以下である場合（ＳＴ８０１；ＹＥＳ）、ＣＰＵ１１１は、撮像装置１１３にＳＡＦ動作を指示する。撮像装置１１３は、焦点が合うまでＳＡＦ動作を実行し（ＳＴ２０４）、ＳＡＦ動作が終了すると（ＳＴ２０５；ＹＥＳ）、撮像装置１１３は動画記録及びＣＡＦ動作を実行する（ＳＴ２０６、ＳＴ２０７）。
【００４３】
一方、電池残量が第１閾値より少なく、かつ、ＡＦ評価値が第２閾値より高い場合（ＳＴ８０１；ＮＯ）、撮像装置１１３は、ＳＡＦ動作を行わずに、動画記録及びＣＡＦ動作を実行する（ＳＴ２０６、ＳＴ２０７）。
【００４４】
このように、本実施の形態では、プレビュー中に、ユーザが動画記録開始を指示した場合、電池残量及びＡＦ評価値に基づいてＳＡＦ動作を実行するか否かを判断する。そして、電池残量が多く、かつ、ＡＦ評価値が高い場合には、ＣＡＦ動作を実行しても電池残量に余裕があり、焦点が合うまでの時間が短いので、撮影キーを押し下げた時点からタイムラグ無く動画記録を開始しても、焦点がぼけた画像を記録することがほとんどなくなる。
【００４５】
なお、本実施の形態において、判断基準として電池残量とＡＦ評価値の２つを用いる場合について説明したが、本発明はこれに限られず、電池残量あるいはＡＦ評価値のどちらか一方のみを用いても良い。
【００４６】
（実施の形態５）
実施の形態５では、動画記録前のプレビュー中に、ユーザが撮影キーを押し下げた時点でフレームレートを上げてＳＡＦ動作を実行する場合について説明する。なお、本実施の形態の撮像装置を搭載した携帯電話機のハードウェア構成は、図１と同一である。
【００４７】
図９は、本実施の形態に係る撮像装置１１３の動作を示すフロー図である。なお、図９において、図２と共通するステップには、同一の符号を付して説明を省略する。
【００４８】
本実施の形態では、図９に示すように、プレビュー状態（ＳＴ２０２）において、ユーザが、操作部１１０の撮影キーを押し下げることにより動画記録開始を指示すると（ＳＴ２０３；ＹＥＳ）、撮像装置１１３は、フレームレートを上昇させた状態で（ＳＴ９０１）、焦点が合うまでＳＡＦ動作を実行し（ＳＴ２０４）、ＳＡＦ動作が終了すると（ＳＴ２０５；ＹＥＳ）、フレームレートを戻し、撮像装置１１３は動画記録及びＣＡＦ動作を実行する（ＳＴ２０６、ＳＴ２０７）。
【００４９】
このように、本実施の形態では、ＳＡＦの合焦速度がフレームレートに依存することから、ＳＡＦ時にフレームレートを上げることにより、撮影キーを押し下げてから動画記録を開始するまでの時間を短縮することができる。
【００５０】
なお、本実施の形態では、フレームレートを上げる代わりに、ＳＡＦモードにおけるレンズの動作を粗くしても同様の効果を得ることができる。
【００５１】
ＳＡＦ動作中は、動画を記録していないので、フレームレートを上げたり、レンズの動作を粗くしたりしても、画像の品質にはほとんど影響がない。
【００５２】
なお、ＳＡＦ時にフレームレートを上げてＡＦ動作の時間短縮をする方法は動画撮影のみに限らず、静止画撮影におけるＳＡＦ動作の時間を短縮するための手段としても利用することができる。
【００５３】
（実施の形態６）
実施の形態６では、動画記録前のプレビュー中に、ユーザが撮影キーを押し下げ、ＳＡＦ動作が完了した時点で電池残量に基づいてＣＡＦ動作を実行するか否かを判断する場合について説明する。なお、本実施の形態の撮像装置を搭載した携帯電話機のハードウェア構成は、図１と同一である。
【００５４】
図１０は、本実施の形態に係る撮像装置１１３の動作を示すフロー図である。なお、図１０において、図２と共通するステップには、同一の符号を付して説明を省略する。
【００５５】
本実施の形態では、図１０に示すように、プレビュー状態（ＳＴ２０２）において、ユーザが、操作部１１０の撮影キーを押し下げることにより動画記録開始を指示すると（ＳＴ２０３；ＹＥＳ）、撮像装置１１３は、焦点が合うまでＳＡＦ動作を実行する（ＳＴ２０４）。
【００５６】
そして、ＳＡＦ動作が終了すると（ＳＴ２０５；ＹＥＳ）、ＣＰＵ１１１は、電池残量と予め設定された閾値とを比較し、電池残量が第３閾値以下である場合（ＳＴ１００１；ＹＥＳ）、ＣＰＵ１１１は撮像装置１１３にＣＡＦ動作を実行しないように指示し、動画記録のみを実行する（ＳＴ１００２）。
【００５７】
一方、電池残量が第３閾値より多い場合（ＳＴ１００１；ＮＯ）、ＣＰＵ１１１は撮像装置１１３にＣＡＦ動作の実行を指示し、動画記録を実行する（ＳＴ２０６、ＳＴ２０７）。
【００５８】
このように、本実施の形態では、プレビュー中に、ユーザが動画記録開始を指示した場合、電池残量に基づいてＣＡＦ動作を実行するか否かを判断する。そして、電池残量が少ない場合にはＣＡＦ動作を実行しない。これにより、電池残量が少ない場合に電力消費を抑えることができる。
【００５９】
（実施の形態７）
実施の形態７では、動画記録前のプレビュー中に、ユーザが撮影キーを押し下げ、ＳＡＦ動作が完了した時点で撮影サイズ及びズーム倍率に基づいてＣＡＦ動作を実行するか否かを判断し、その後ズーム動作が有った場合にＣＡＦ動作を開始／継続するか否かを判断する場合について説明する。なお、本実施の形態の撮像装置を搭載した携帯電話機のハードウェア構成は、図１と同一である。
【００６０】
図１１は、本実施の形態に係る撮像装置１１３の動作を示すフロー図である。なお、図１１において、図２と共通するステップには、同一の符号を付して説明を省略する。
【００６１】
本実施の形態では、図１１に示すように、プレビュー状態（ＳＴ２０２）において、ユーザが、操作部１１０の撮影キーを押し下げることにより動画記録開始を指示すると（ＳＴ２０３；ＹＥＳ）、撮像装置１１３は、焦点が合うまでＳＡＦ動作を実行する（ＳＴ２０４）。
【００６２】
そして、ＳＡＦ動作が終了すると（ＳＴ２０５；ＹＥＳ）、ＣＰＵ１１１は、撮影サイズ及びズーム倍率と予め設定された閾値とを比較し、撮影サイズが第４閾値以下、かつ、ズーム倍率が第５閾値以下である場合（ＳＴ１１０１；ＹＥＳ）、ＣＰＵ１１１は撮像装置１１３にＣＡＦ動作を実行しないように指示し、動画記録のみを実行する（ＳＴ１１０２）。
【００６３】
一方、撮影サイズが第４閾値より大きい、あるいは、ズーム倍率が第５閾値より大きい場合（ＳＴ１１０１；ＮＯ）、ＣＰＵ１１１は撮像装置１１３にＣＡＦ動作の実行を指示し動画記録を実行する（ＳＴ２０６）。
【００６４】
その後、ズーム動作があった場合には（ＳＴ１１０３；ＹＥＳ）、ＣＰＵ１１１は、ズーム倍率と予め設定された閾値とを比較し、ズーム倍率が第５閾値以下である場合（ＳＴ１１０４；ＹＥＳ）、所定時間を経過するのを待って（ＳＴ１１０５）、撮像装置１１３にＣＡＦ動作の停止を指示する（ＳＴ１１０６）。
【００６５】
一方、ズーム倍率が第５閾値より大きい場合（ＳＴ１１０４；ＮＯ）、ＣＰＵ１１１は撮像装置１１３に、ＣＡＦ動作の開始または継続を指示する。（ＳＴ１１０７）。
【００６６】
なお、上記の閾値による判定の機能は撮像装置１１３に持たせてもよい。
【００６７】
このように、本実施の形態では、プレビュー中に、ユーザが動画記録開始を指示した場合、縮小率によってはフォーカスのずれが目立たないことから、撮影サイズ及びズーム倍率に基づいてＣＡＦ動作を実行するか否かを判断する。そして、撮影サイズが小さく、かつ、ズーム倍率が小さい場合にはＣＡＦ動作を実行しないようにすることにより、電池残量が少ない場合に電力消費を抑えることができる。
【００６８】
なお、上記各実施の形態は、携帯電話機に撮像装置を搭載する場合について説明したが、本発明はこれに限られず、撮像装置を他の機器に搭載した一般的なデジタルカメラ等の場合でも同様の効果を得ることができる。
【００６９】
また、上記各実施の形態は、適宜組み合わせることができ、組み合わせによって相乗効果を生むことができる。
【産業上の利用可能性】
【００７０】
本発明に係る撮像装置は、携帯電話機等の携帯無線端末に搭載して用いるに好適である。
【図面の簡単な説明】
【００７１】
【図１】本発明の実施の形態１に係る撮像装置を搭載した携帯電話機のハードウェア構成の概略を示すブロック図
【図２】本発明の実施の形態１に係る撮像装置の動作を示すフロー図
【図３】本発明の実施の形態１の効果を説明する図
【図４】本発明の実施の形態２に係る撮像装置の動作を示すフロー図
【図５】本発明の実施の形態２効果を説明する図
【図６】本発明の実施の形態３に係る撮像装置の動作を示すフロー図
【図７】本発明の実施の形態３の効果を説明する図
【図８】本発明の実施の形態４に係る撮像装置の動作を示すフロー図
【図９】本発明の実施の形態５に係る撮像装置の動作を示すフロー図
【図１０】本発明の実施の形態６に係る撮像装置の動作を示すフロー図
【図１１】本発明の実施の形態７に係る撮像装置の動作を示すフロー図
【図１２】動画記録を開始する際に急に被写体の条件が変化した場合を説明する図
【符号の説明】
【００７２】
１００  携帯電話機
１０９  表示部
１１０  操作部
１１１  ＣＰＵ（Central Processing Unit）
１１２  メモリ
１１３  撮像装置
１３１  光学ユニット
１３２  画像処理部
１３３  ＡＦ評価部
１３４  ＳＡＦ制御部
１３５  ＣＡＦ制御部
１３６  レンズ駆動部
１５１  レンズ部
１５２  撮像素子
【図１】
0004699436.tif 000002
【図２】
0004699436.tif 000003
【図３】
0004699436.tif 000004
【図４】
0004699436.tif 000005
【図５】
0004699436.tif 000006
【図６】
0004699436.tif 000007
【図７】
0004699436.tif 000008
【図８】
0004699436.tif 000009
【図９】
0004699436.tif 000010
【図１０】
0004699436.tif 000011
【図１１】
0004699436.tif 000012
【図１２】
0004699436.tif 000013